(57)【要約】【課題】多重モード移動通信端末機のアンテナが破損されるか、またはそのアンテナ性能が低下されたとき、これを感知してアンテナを交替または使用中止し得る移動通信端末機のアンテナ状態監視装置及びその方法を提供しようとする。【解決手段】可変利得増幅器１０、電力増幅器２０及びデュプレクサ３０を包含して構成された移動通信端末機の送信装置であって、端末機の第１アンテナの破損や誤動作による非正常動作時、前記電力増幅器２０の消耗電流の増加を検出する電流感知回路１００と、該電流感知回路１００の出力によって動作して、第１出力は前記可変利得増幅器１０に伝達し、第２出力は帯域切替スイッチ３００に伝達する基底帯域チップ２００と、該基底帯域チップ２００の第２出力によって、端末機の前記デュプレクサ３０を通過した信号を第２アンテナに出力する帯域切替スイッチ３００とを包含して移動通信端末機のアンテナ状態監視装置を構成する。【選択図】図１
2004260826.tif 000002
【特許請求の範囲】
【請求項１】
可変利得増幅器、電力増幅器及びデュプレクサを包含して構成された移動通信端末機の送信装置であって、
端末機の第１アンテナの破損や誤動作による非正常動作時、前記電力増幅器の消耗電流の増加を検出する電流感知回路と、
該電流感知回路の出力によって動作して、第１出力は、前記可変利得増幅器に伝達し、第２出力は、帯域切替スイッチに伝達する基底帯域チップと、
該基底帯域チップの第２出力によって、端末機の前記デュプレクサを通過した信号を第２アンテナに出力する帯域切替スイッチと、
を包含して構成されることを特徴とする移動通信端末機のアンテナ状態監視装置。
【請求項２】
前記電流感知回路は、電流感知用抵抗と比較器とから構成されることを特徴とする請求項１記載の移動通信端末機のアンテナ状態監視装置。
【請求項３】
前記比較器は、バッテリー電圧（Ｖｃｃ）を基準として、電力増幅器の消耗電流の増加を検出することを特徴とする請求項２記載の移動通信端末機のアンテナ状態監視装置。
【請求項４】
前記第２アンテナは、端末機の内部に具備された補助アンテナを包含することを特徴とする請求項１記載の移動通信端末機のアンテナ状態監視装置。
【請求項５】
可変利得増幅器、電力増幅器及びデュプレクサを包含して構成された移動通信端末機の送信装置であって、
端末機の第２アンテナの破損や誤動作による非正常動作時、前記電力増幅器の消耗電流の増加を検出する電流感知回路と、
該電流感知回路の出力によって動作して、第３出力を発生して端末機使用者に誤動作アラーム信号を告知する基底帯域チップと、
を包含して構成されることを特徴とする移動通信端末機のアンテナ状態監視装置。
【請求項６】
前記電流感知回路は、電流感知用抵抗と比較器とから構成されることを特徴とする請求項５記載の移動通信端末機のアンテナ状態監視装置。
【請求項７】
前記比較器は、バッテリー電圧（Ｖｃｃ）を基準として、電力増幅器の消耗電流の増加を検出することを特徴とする請求項６記載の移動通信端末機のアンテナ状態監視装置。
【請求項８】
前記第２アンテナは、端末機の内部に具備された補助アンテナを包含することを特徴とする請求項５記載の移動通信端末機のアンテナ状態監視装置。
【請求項９】
可変利得増幅器、電力増幅器及びデュプレクサを包含して構成された移動通信端末機であって、
端末機が待機状態で動作を開始すると、動作状態を判断して、非正常動作状態であるとき、電力増幅器の消耗電流の増加を感知する段階と、
該感知された信号によって基底帯域チップが動作して、所定出力を帯域切替スイッチに伝達すると、該帯域切替スイッチが端末機の第２アンテナを選択する段階と、
を順次行うことを特徴とする移動通信端末機のアンテナ状態監視方法。
【請求項１０】
前記電力増幅器の消耗電流の増加は、電流感知回路により感知されることを特徴とする請求項９記載の移動通信端末機のアンテナ状態監視方法。
【請求項１１】
前記電流感知回路は、電流感知用抵抗と比較器とから構成されることを特徴とする請求項１０記載の移動通信端末機のアンテナ状態監視方法。
【請求項１２】
前記比較器は、バッテリー電圧（Ｖｃｃ）を基準として、電力増幅器の消耗電流の増加を検出することを特徴とする請求項１１記載の移動通信端末機のアンテナ状態監視方法。
【請求項１３】
前記端末機の動作状態を判断して、正常動作状態であると、帯域切替スイッチが外部アンテナを選択することを特徴とする請求項９記載の移動通信端末機のアンテナ状態監視方法。
【請求項１４】
前記第２アンテナは、端末機の内部に具備された補助アンテナを包含することを特徴とする請求項９記載の移動通信端末機のアンテナ状態監視方法。
【請求項１５】
可変利得増幅器、電力増幅器及びデュプレクサを包含して構成された移動通信端末機であって、
端末機の第２アンテナの破損や誤動作による非正常動作時、前記電力増幅器の消耗電流の増加を検出する段階と、
該消耗電流の増加の検出によって第３出力を発生して、端末機使用者に誤動作アラーム信号を告知する段階と、
を順次行うことを特徴とする移動通信端末機のアンテナ状態監視方法。
【請求項１６】
前記電力増幅器の消耗電流の増加は、電流感知回路により感知されることを特徴とする請求項１５記載の移動通信端末機のアンテナ状態監視方法。
【請求項１７】
前記電流感知回路は、電流感知用抵抗と比較器とから構成されることを特徴とする請求項１６記載の移動通信端末機のアンテナ状態監視方法。
【請求項１８】
前記比較器は、バッテリー電圧（Ｖｃｃ）を基準として、電力増幅器の消耗電流の増加を検出することを特徴とする請求項１７記載の移動通信端末機のアンテナ状態監視方法。
【請求項１９】
前記端末機使用者への誤動作アラーム信号の告知は、基底帯域チップにより行われることを特徴とする請求項１５記載の移動通信端末機のアンテナ状態監視方法。
【発明の詳細な説明】
【技術分野】
【０００１】
本発明は、移動通信端末機の送信端に係るもので、詳しくは、移動通信端末機のアンテナ状態監視装置及びその方法に関するものである。
【背景技術】
【０００２】
現在、移動通信端末機は、２世代移動通信サービスと３世代移動通信サービスとを統合して提供することができるし、音声サービス及びデータサービスだけでなく、マルチメディアサービスも共に提供し得る多重モード端末機に発展している。
【０００３】
図８は、一般の多重モード移動通信端末機の送信部の構成を示したブロック図で、図示されたように、一般の多重モード移動通信端末機の送信部は、送信信号の増幅利得を可変させる可変利得増幅器１０と、該可変利得増幅器１０の出力信号を電力増幅する電力増幅器２０と、該電力増幅器２０により電力増幅された送信信号を送信経路に伝送するデュプレクサ３０と、該デュプレクサ３０から出力されたＷＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）信号を外部アンテナ５０に出力し、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）信号及びＤＣＳ（ｄｉｇｉｔａｌ  ｃｅｌｌｕｌａｒ  ｓｅｒｖｉｃｅ）信号の伝送経路を提供する帯域切替スイッチ４０と、を包含して構成されている。
【０００４】
前記帯域切替スイッチ４０は、図９に示したように、ローパスフィルタリング（ｌｏｗ  ｐａｓｓ  ｆｉｌｔｅｒｉｎｇ）及びハイパスフィルタリング（ｈｉｇｈ  ｐａｓｓ  ｆｉｌｔｅｒｉｎｇ）により、相互異なる周波数の信号を分離するダイプレクサ（ｄｉｐｌｅｘｅｒ）４１と、帯域切替制御端子に入力される帯域切替制御信号によってスイッチングして、前記ＧＳＭ信号を送信及び受信するための第１スイッチ４２と、前記帯域切替制御信号によってスイッチングして、前記ＤＣＳ信号を送信及び受信するための第２スイッチ４３と、前記帯域切替制御信号によってスイッチングして、前記ＷＣＤＭＡ信号を送信するための第３スイッチ４４と、から構成されている。
【０００５】
以下、このように構成された一般の多重モード移動通信端末機の送信部の動作に対して説明する。
【０００６】
ＷＣＤＭＡ送信信号は、可変利得増幅器１０を通して電力増幅器２０に入力され、該電力増幅器２０は、前記入力されたＷＣＤＭＡ送信信号を電力増幅し、デュプレクサ３０は、該電力増幅されたＷＣＤＭＡ送信信号を帯域切替スイッチ４０を通して外部アンテナ５０に出力する。
【０００７】
一般に、移動通信端末機の送信部の出力レベルは、規格で決まっている。
【特許文献１】韓国特許出願公開第１９９９−００３８４５７号明細書
【特許文献２】特開２００２−２６１５２２号公報
【特許文献３】米国特許出願公開第２００３／０１３８８６号明細書
【特許文献４】欧州特許出願公開第１２１５８２３号明細書
【発明の開示】
【発明が解決しようとする課題】
【０００８】
然るに、このような一般の多重モード移動通信端末機の送信部においては、外部アンテナ５０が端末機の外部に突出されているため、屈曲されるかまたはひび（ｃｒａｃｋ）が入ることで電気的に誤動作される可能性が多いという不都合な点があった。
【０００９】
また、このように前記外部アンテナ５０が電気的に誤動作する場合、移動通信端末機の出力レベルは急激に低下し、前記電力増幅器２０の消耗電流は顕著に増加するが、このような前記電力増幅器２０の消耗電流の増加により、デュプレクサ３０、帯域切替スイッチ４０及び外部アンテナ５０のように出力端整合に影響を与える素子が物理的損傷を受けることで、移動通信端末機のバッテリーの寿命が短縮されるという不都合な点があった。
【００１０】
一方、移動通信端末機にアイソレータ（ｉｓｏｌａｔｏｒ）を具備する場合、移動通信端末機の出力端整合に影響を与える素子が受ける物理的損傷は減少されるが、アイソレータが具備された移動通信端末機は、アイソレータの挿入損失が発生して、アイソレータが具備されない移動通信端末機より電力増幅器の消耗電流が多いため、バッテリーの寿命が短縮されるという不都合な点があった。
【００１１】
本発明は、このような従来の課題に鑑みてなされたもので、多重モード移動通信端末機のアンテナが破損されるか、またはそのアンテナ性能が低下されたとき、これを感知してアンテナを交替または使用中止し得る移動通信端末機のアンテナ状態監視装置及びその方法を提供することを目的とする。  
【００１２】
また、本発明の他の目的は、アイソレータを具備せずにも、アンテナの電気的な誤動作を電力増幅器の消耗電流量を感知して検出し、正常なアンテナにスイッチングすることで、移動通信端末機の送信部の性能を向上し、バッテリーの寿命を改善し得る移動通信端末機のアンテナ状態監視装置及びその方法を提供することにある。
【課題を解決するための手段】
【００１３】
このような目的を達成するため、本発明に係る移動通信端末機のアンテナ状態監視装置は、可変利得増幅器、電力増幅器及びデュプレクサを包含して構成された移動通信端末機の送信装置であって、端末機の第１アンテナの破損や誤動作による非正常動作時、前記電力増幅器の消耗電流の増加を検出する電流感知回路と、該電流感知回路の出力によって動作して、第１出力は、前記可変利得増幅器に伝達し、第２出力は、帯域切替スイッチに伝達する基底帯域チップと、該基底帯域チップの第２出力によって、端末機の前記デュプレクサを通過した信号を第２アンテナに出力する帯域切替スイッチと、を包含して構成されることを特徴とする。
【００１４】
また、前記電流感知回路は、電流感知用抵抗と比較器とから構成されることを特徴とする。
【００１５】
また、前記比較器は、バッテリー電圧（Ｖｃｃ）を基準として、電力増幅器の消耗電流の増加を検出することを特徴とする。
【００１６】
また、前記第２アンテナは、端末機の内部に具備された補助アンテナを包含することを特徴とする。
【００１７】
そして、本発明に係る移動通信端末機のアンテナ状態監視装置は、可変利得増幅器、電力増幅器及びデュプレクサを包含して構成された移動通信端末機の送信装置であって、端末機の第２アンテナの破損や誤動作による非正常動作時、前記電力増幅器の消耗電流の増加を検出する電流感知回路と、該電流感知回路の出力によって動作して、第３出力を発生して端末機使用者に誤動作アラーム信号を告知する基底帯域チップと、を包含して構成されることを特徴とする。
【００１８】
また、前記電流感知回路は、電流感知用抵抗と比較器とから構成されることを特徴とする。
【００１９】
また、前記比較器は、バッテリー電圧（Ｖｃｃ）を基準として、電力増幅器の消耗電流の増加を検出することを特徴とする。
【００２０】
また、前記第２アンテナは、端末機の内部に具備された補助アンテナを包含することを特徴とする。
【００２１】
そして、本発明に係る移動通信端末機のアンテナ状態監視方法は、可変利得増幅器、電力増幅器及びデュプレクサを包含して構成された移動通信端末機であって、端末機が待機状態で動作を開始すると、動作状態を判断して、非正常動作状態であるとき、電力増幅器の消耗電流の増加を感知する段階と、該感知された信号によって基底帯域チップが動作して、所定出力を帯域切替スイッチに伝達すると、該帯域切替スイッチが端末機の第２アンテナを選択する段階と、を順次行うことを特徴とする。
【００２２】
また、前記電力増幅器の消耗電流の増加は、電流感知回路により感知されることを特徴とする。
【００２３】
また、前記電流感知回路は、電流感知用抵抗と比較器とから構成されることを特徴とする。
【００２４】
また、前記比較器は、バッテリー電圧（Ｖｃｃ）を基準として、電力増幅器の消耗電流の増加を検出することを特徴とする。
【００２５】
また、前記端末機の動作状態を判断して、正常動作状態であると、帯域切替スイッチが外部アンテナを選択することを特徴とする。
【００２６】
また、前記第２アンテナは、端末機の内部に具備された補助アンテナを包含することを特徴とする。
【００２７】
そして、本発明に係る移動通信端末機のアンテナ状態監視方法は、可変利得増幅器、電力増幅器及びデュプレクサを包含して構成された移動通信端末機であって、端末機の第２アンテナの破損や誤動作による非正常動作時、前記電力増幅器の消耗電流の増加を検出する段階と、該消耗電流の増加の検出によって第３出力を発生して、端末機使用者に誤動作アラーム信号を告知する段階と、を順次行うことを特徴とする。
【００２８】
また、前記電力増幅器の消耗電流の増加は、電流感知回路により感知されることを特徴とする。
【００２９】
また、前記電流感知回路は、電流感知用抵抗と比較器とから構成されることを特徴とする。
【００３０】
また、前記比較器は、バッテリー電圧（Ｖｃｃ）を基準として、電力増幅器の消耗電流の増加を検出することを特徴とする。
【００３１】
また、前記端末機使用者への誤動作アラーム信号の告知は、基底帯域チップにより行われることを特徴とする。
【発明の効果】
【００３２】
本発明に係る移動通信端末機のアンテナ状態監視装置及びその方法においては、電力増幅器の電源電圧端子にバッテリー電圧が印加されるとき、その印加されるライン上に流れる電流量を測定して電力増幅器の消耗電流量の増加の有無を感知して、アンテナの電気的な非正常状態を検出し、正常なアンテナへのスイッチングを制御することで、移動通信端末機の出力端の性能を向上し、バッテリーの消耗量を減らして、バッテリーの寿命の短縮を防止し得るという効果がある。
【００３３】
また、アイソレータが具備されない移動通信端末機において、アンテナの電気的な非正常動作状態を検出して正常なアンテナへのスイッチングを制御することで、端末機の出力レベルが低下することを防止して出力端の性能を向上し、電力増幅器がバッテリー電圧を過度に消耗することを防止してバッテリーの寿命の短縮を防止し得るという効果がある。
【発明を実施するための最良の形態】
【００３４】
以下、本発明の実施の形態に対し、図面に基づいて説明する。
【００３５】
まず、図１は、本発明に係る移動通信端末機のアンテナ状態監視装置の構成を示したブロック図で、図示されたように、本発明に係る移動通信端末機のアンテナ状態監視装置においては、送信信号の増幅利得を利得制御信号によって可変させる可変利得増幅器１０と、該可変利得増幅器１０の出力信号を電力増幅する電力増幅器２０と、該電力増幅器２０により電力増幅された送信信号を送信経路に伝送するデュプレクサ３０と、前記電力増幅器２０の消耗電流量を感知する電流感知回路１００と、前記感知された電流量の増加によって、第１アンテナが誤動作されるか否かを判断して、該第１アンテナが誤動作されるとき、第２アンテナへのスイッチングを制御し、それら第１アンテナ及び第２アンテナが全て誤動作されるとき、使用者にアンテナの誤動作を知らせる基底帯域チップ２００と、該基底帯域チップ２００の制御によって、前記デュプレクサ３０の出力信号を前記第１アンテナ及び第２アンテナに選択的にスイッチングする帯域切替スイッチ３００と、を包含して構成されている。
【００３６】
前記電流感知回路１００は、Ａ端子（Ａノード）とＢ端子（Ｂノード）間に連結されて、前記電力増幅器２０の消耗電流量を感知するための抵抗１１０と、非反転入力端子に入力される前記Ａノードの電圧と反転入力端子に入力される前記Ｂノードの電圧間の差値に相応する電圧レベルを出力する比較器１２０と、から構成される。
【００３７】
且つ、前記Ａノードの電圧は、移動通信端末機のバッテリー電圧で、前記Ｂノードの電圧は、前記バッテリー電圧から前記抵抗１１０による電圧降下量が減算された電圧として、前記電力増幅器２０の電源電圧端子に提供される。
【００３８】
また、前記帯域切替スイッチ３００は、ローパスフィルタリング及びハイパスフィルタリングにより、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）信号とＣＤＭＡ（ｃｏｄｅ  ｄｉｖｉｓｉｏｎ  ｍｕｌｔｉｐｌｅ  ａｃｃｅｓｓ）信号とを分離するダイプレクサ３１０と、帯域切替制御端子に入力される帯域切替制御信号によって、前記ＧＳＭ信号を送信及び受信するための第１スイッチ３２０と、前記帯域切替制御信号によって、前記ＤＣＳ信号を送信及び受信するための第２スイッチ３３０と、前記基底帯域チップ２００のスイッチング制御信号によって、前記デュプレクサ３０の出力信号を前記第１アンテナ及び第２アンテナに選択的にスイッチングする第３スイッチ３４０と、から構成される。
【００３９】
ここで、前記第１アンテナは、移動通信端末機の外部に突出された外部アンテナ４００で、前記第２アンテナは、移動通信端末機の内部に具備された補助アンテナ５００であるか、または、前記第１アンテナが補助アンテナ５００で、前記第２アンテナが外部アンテナ４００である。
【００４０】
図２は、アンテナが正常動作状態のとき、電力増幅器２０の消耗電流及び出力レベルを示したグラフで、図示されたように、Ｄ端子の利得制御信号が２．５Ｖで、出力端の整合インピーダンス（ｍａｔｃｈｉｎｇ  ｉｍｐｅｄａｎｃｅ）が５０Ωの場合、アンテナが正常状態であると、電力増幅器２０の入力レベルが０ｄＢｍのとき、該電力増幅器２０の消耗電流は２０１ｍＡで、該電力増幅器２０の出力レベルは約２１．９ｄＢｍとなる。参考的に、０ｄＢｍは１ｍＷと同様である。
【００４１】
図３は、アンテナが電気的に非正常動作状態のとき、電力増幅器２０の消耗電流及び出力レベルを示したグラフで、図示されたように、Ｄ端子の利得制御信号が２．５Ｖで、アンテナが電気的に非正常状態に動作して出力端の整合インピーダンスが５０Ωを外れた場合、電力増幅器２０の入力レベルが０ｄＢｍのとき、該電力増幅器２０の出力レベルは、２１．９ｄＢｍとして正常状態の場合と同様であるが、該電力増幅器２０の消耗電流は、３３７ｍＡとして、アンテナが正常状態の場合の消耗電流２０１ｍＡより顕著に増加された。且つ、入力レベルが４ｄＢｍの場合、消耗電流は更に増加されて、出力レベル及び消耗電流の非効率性が増加するようになる。
【００４２】
よって、本発明は、前記電力増幅器２０の消耗電流が増加したかを検出することで、アンテナの電気的な動作状態が正常であるか否かを判断する。
【００４３】
以下、このように構成された本発明に係る移動通信端末機のアンテナ状態監視装置の動作に対して説明する。
【００４４】
図４は、本発明に係る移動通信端末機のアンテナ状態監視方法を示したフローチャートで、図示されたように、電流感知回路１００は、電力増幅器２０の消耗電流量を感知し（Ｓ１００、Ｓ１１０）、基底帯域チップ２００は、前記感知された電流量が、正常状態として判断するための許容範囲に包含されるかを確認する。このとき、前記感知された電流量が前記許容範囲に包含されると、前記基底帯域チップ２００は、現在のアンテナを正常状態と判断し、現在の帯域切替スイッチ３００の状態を維持する（Ｓ１２０）。反面、前記感知された電流量が前記許容範囲に包含されないと、前記基底帯域チップ２００は、現在のアンテナを電気的な誤動作状態と判断し、スイッチング制御信号を前記帯域切替スイッチ３００に出力する。次いで、該帯域切替スイッチ３００は、前記スイッチング制御信号によって、現在のアンテナから他の一つのアンテナにスイッチングを行い、具備された全てのアンテナが誤動作状態として判断されると、前記基底帯域チップ２００は、使用者にアンテナの誤動作状態を知らせる（Ｓ１３０〜Ｓ１７０）。
【００４５】
且つ、アンテナが正常状態のとき、前記基底帯域チップ２００は、特定の利得制御信号値に対し、前記電力増幅器２０の入力レベルによって、前記電流感知回路１００の各端子の電圧レベルを格納するようになるが、前記許容範囲は、該格納された電圧レベルにより決定される。
【００４６】
図５は、アンテナが正常状態のとき、電力増幅器２０の消耗電流、出力レベル及び電流感知回路の各端子の電圧をそれぞれ示した図面で、図中、Ａ端子の電圧は、移動通信端末機のバッテリー電圧で、Ｂ端子の電圧は、前記Ａ端子の電圧と前記抵抗１１０による電圧降下量との差電圧として、前記電力増幅器２０の電源電圧に印加される電圧である。且つ、前記Ｃ端子の電圧は、前記電流感知回路１００の出力端子電圧として、前記Ａ端子とＢ端子間の差電圧に相応する電圧レベルを有する。また、前記電力増幅器２０が消耗する電流量、即ち、前記抵抗１１０に流れる電流量は、
（Ａ端子の電圧−Ｂ端子の電圧）／抵抗値
により求めることができる。
【００４７】
利得制御信号値が２．５Ｖで、出力整合インピーダンスが５０Ωの場合、入力レベルが０ｄＢｍのとき、電力増幅器２０の出力レベルは２１．９ｄＢｍ、電力増幅器２０の消耗電流は２０１ｍＡ、電流感知回路１００のＡ端子の電圧は３．４Ｖ、Ｂ端子の電圧は３．３８９９５Ｖ、Ｃ端子の電圧は０．２０１Ｖとなる。
【００４８】
このようにアンテナが正常に動作するとき、前記基底帯域チップ２００は、特定の利得制御信号値に対し、前記電力増幅器２０の入力レベルによる消耗電流、出力レベル、並びに前記電流感知回路１００のＡ端子、Ｂ端子及びＣ端子の電圧をそれぞれ格納し、該格納された各入力レベルによる前記Ｃ端子の電圧に対し、正常状態を判断するための許容範囲を決定する。
【００４９】
図６は、アンテナが電気的に非正常状態のとき、電力増幅器２０の消耗電流、出力レベル及び電流感知回路１００の各端子の電圧を示した図面で、アンテナが電気的に非正常状態となって出力整合インピーダンスが５０Ωを外れた場合、利得制御信号値が２．５Ｖで、入力レベルが４ｄＢｍのとき、電力増幅器２０の消耗電流量は、５１１ｍＡとして、正常状態の場合の２８９ｍＡより顕著に増加された。
【００５０】
移動通信端末機が送信状態のとき、電流感知回路１００は、電力増幅器２０の消耗電流量を感知する（Ｓ１００、Ｓ１１０）。即ち、移動通信端末機のバッテリー電圧は、電力増幅器２０の電源電圧端子に印加されるが、前記バッテリー電圧が印加されるライン上に具備された電流感知回路１００は、該ラインを流れる電流量を感知することで、前記電力増幅器２０の消耗電流量を感知する。且つ、前記電流感知回路１００は、前記ライン上に具備された抵抗１１０に流れる電流量に相応する電圧レベルを比較器１２０の出力端子を通して出力する。
【００５１】
次いで、基底帯域チップ２００は、前記電流感知回路１００から出力された電圧レベルが、前記電力増幅器２０の入力レベルによる該当の電圧レベルの許容範囲に包含されるかを確認する。且つ、前記基底帯域チップ２００は、帯域切替スイッチ３００の現在のスイッチング状態を確認し、現在連結されていない他の一つのアンテナの状態情報を確認する。
【００５２】
例えば、帯域切替スイッチ３００のスイッチング状態が、デュプレクサ３０の出力信号と外部アンテナ４００の４端子とが連結された状態の場合、電力増幅器２０の入力レベルが４ｄＢｍで、電流感知回路１００から出力された電圧（Ｃ端子の電圧）が０．２８９Ｖであると、基底帯域チップ２００は、現在のアンテナが、正常状態として判断するための前記許容範囲に包含されると判断し、前記帯域切替スイッチ３００のスイッチング状態を現状態に維持する（Ｓ１２０）。
【００５３】
反面、前記現在連結されていない他の一つのアンテナの状態情報が正常状態の場合、前記電流感知回路１００から出力された電圧レベルが、該当の電圧レベルの許容範囲に包含されないと、前記基底帯域チップ２００は、現在連結されたアンテナを電気的に誤動作状態と判断する。例えば、入力レベルが４ｄＢｍの場合、電流感知回路１００のＣ端子の電圧が０．５１１Ｖであると、基底帯域チップ２００は、現在のアンテナが、正常状態として判断するための許容範囲に包含されないと判断し、スイッチング制御信号をＥ端子を通して帯域切替スイッチ３００に出力する。
【００５４】
ここで、前記デュプレクサ３０の出力信号と外部アンテナ４００の４端子とが現在連結された状態で、前記現在連結されていない他の一つのアンテナの状態情報が正常状態で、前記電流感知回路１００から出力された電圧レベルが前記許容範囲に包含されないと、前記基底帯域チップ２００は、前記外部アンテナ４００を電気的に非正常状態と判断し、スイッチング制御信号をハイレベルとして出力する（Ｓ１４０、Ｓ１５０）。反面、前記デュプレクサ３０の出力信号と内部の補助アンテナ５００の５端子とが現在連結された状態で、前記現在連結されていない他の一つのアンテナの状態情報が正常状態で、前記電流感知回路１００から出力された電圧レベルが前記許容範囲に包含されないと、前記基底帯域チップ２００は、前記補助アンテナ５００を電気的に非正常状態と判断し、スイッチング制御信号をローレベルとして出力する（Ｓ１４０、Ｓ１６０、Ｓ１７０）。
【００５５】
図７は、前記帯域切替スイッチ３００が前記スイッチング制御信号によってスイッチングを行う動作を示した図面で、例えば、基底帯域チップ２００から出力された前記スイッチング制御信号がハイレベルであると、前記帯域切替スイッチ３００の第３スイッチ３４０は、前記デュプレクサ３０の出力端子と内部の補助アンテナ５００の５端子とを連結することで、前記電力増幅器２０の出力信号は３端子を経て５端子に伝送される。反面、前記スイッチング制御信号がローレベルであると、前記帯域切替スイッチ３００の第３スイッチ３４０は、前記デュプレクサ３０の出力端子と外部アンテナ４００の４端子とを連結することで、前記電力増幅器２０の出力信号は３端子を経て４端子に伝送される。
【００５６】
一方、前記現在連結されていない他の一つのアンテナの状態情報が非正常状態の場合、前記電流感知回路１００から出力された電圧レベルが、該当の電圧レベルの許容範囲に包含されないと、前記基底帯域チップ２００は、前記外部アンテナ４００及び補助アンテナ５００を全て電気的に非正常状態と判断し、Ｆ端子を通して使用者にアンテナの非正常状態を知らせる（Ｓ１３０、Ｓ１８０）。よって、使用者はアンテナの非正常状態を認知して措置し得るようになる。
【００５７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５８】
【図１】本発明に係る移動通信端末機のアンテナ状態監視装置の構成を示したブロック図である。
【図２】図１のアンテナが正常動作状態のとき、電力増幅器の消耗電流及び出力レベルを示したグラフである。
【図３】図１のアンテナが電気的に非正常動作状態のとき、電力増幅器の消耗電流及び出力レベルを示したグラフである。
【図４】本発明に係る移動通信端末機のアンテナ状態監視方法を示したフローチャートである。
【図５】本発明に係るアンテナ状態監視装置において、アンテナが正常状態のとき、電力増幅器の消耗電流、出力レベル及び電流感知回路の各端子の電圧を示した図面である。
【図６】本発明に係るアンテナ状態監視装置において、アンテナが電気的に非正常状態のとき、電力増幅器の消耗電流、出力レベル及び電流感知回路の各端子の電圧を示した図面である。
【図７】本発明に係るアンテナ状態監視装置の基底帯域チップの制御による帯域切替スイッチのアンテナスイッチング動作を示した説明図である。
【図８】一般の多重モード移動通信端末機の送信部の構成を示したブロック図である。
【図９】一般の帯域切替スイッチの構成を示したブロック図である。
【符号の説明】
【００５９】
１０  可変利得増幅器
２０  ＷＣＤＭＡ用電力増幅器
３０  デュプレクサ
４０  帯域切替スイッチ
１００  電流感知回路
１１０  抵抗
１２０  比較器
２００  基底帯域チップ
３００  帯域切替スイッチ
４００  外部アンテナ
５００  補助アンテナ
【図１】
2004260826.tif 000003
【図２】
2004260826.tif 000004
【図３】
2004260826.tif 000005
【図４】
2004260826.tif 000006
【図５】
2004260826.tif 000007
【図６】
2004260826.tif 000008
【図７】
2004260826.tif 000009
【図８】
2004260826.tif 000010
【図９】
2004260826.tif 000011